(57)【特許請求の範囲】
【請求項１】
各店舗に備えられた緊急通報装置と、本部とを通信手段により夫々接続し、緊急通報の授受を行う緊急通報システムにおいて、
前記緊急通報装置は、前記各店舗に備えられた監視カメラからの映像を基に人物の属性を抽出する属性情報抽出手段と、同属性情報抽出手段から抽出した属性を基に警告メッセージを自動作成する警告メッセージ作成手段とを備え、
前記本部は、前記各店舗の周辺環境データを記憶したデータベースを備え、前記本部が、前記各店舗のうちのある店舗の前記緊急通報装置から緊急事態発生の通報を受けた際、前記データベースに基づいて、前記警告メッセージ作成手段で作成された前記警告メッセージの配信先優先度を決定し、同配信先優先度に基づいて、順次、前記各店舗のうちの他の店舗に前記警告メッセージを配信することを特徴とする緊急通報システム。
【請求項２】
前記属性情報抽出手段が、身長分析手段と、体型分析手段と、服装色分析手段とからなることを特徴とする請求項１に記載の緊急通報システム。
【発明の詳細な説明】
【技術分野】
【０００１】
本発明は、コンビニエンスストア等の店舗に設置される緊急通報システムの構成に関する。
【背景技術】
【０００２】
コンビニエンスストア等の店舗に設置される従来の緊急通報システムは、例えば、図７（Ａ）で示すように、携帯電話機５１とパーソナルコンピュータ５０とをＰＣカード及びＰＣカード用の接続ケーブル５１ａにて相互通信可能に接続している。前記携帯電話機５１には、音声メッセージ録音機能及び再生機能、もしくは文字メッセージ記録機能及び再生機能が備えられ、又、緊急時通報先の電話番号登録機能、メモリダイヤル登録機能、リダイヤル機能からなる所謂通報先登録手段が備えられている（例えば、特許文献１参照）。
【０００３】
前記パーソナルコンピュータ５０には前記携帯電話機５１を制御して、緊急事態発生時、前記登録手段に登録された通報先に通報を行うアプリケーションプログラムがインストールされており、予め定められた所定のキーを押すと、同パーソナルコンピュータ５０から前記接続ケーブル５１ａを介して前記携帯電話機５１に制御信号が送出されるようになっている。制御信号を受けた前記携帯電話機５１は、登録された音声メッセージ、あるいは文字メッセージ記録を無線通信により、各地の通報先に自動的に通報するようになっている。深夜に小人数で営業を行うコンビニエンスストア等では、強盗事件等が頻発する傾向にあるが、そのような場合、上記した緊急通報システムにより、警察も含め迅速な通報を行うことができるようになっている。
【０００４】
又、図７（Ｂ）で示すように、音声メッセージ、もしくは文字メッセージを夫々記録した携帯電話機５１、５２、５３を、同携帯電話機５１、５２、５３を支持する支持孔を複数穿設し、パーソナルコンピュータに接続ケーブル５１ａにて接続されたたボックス５４に立設し、緊急事態発生時、登録された通報先に一斉に通報を行えるようにしている。
【０００５】
しかしながら、近年、コンビニエンスストア等では、ある店舗で強盗事件等が発生すると、近隣の店舗で同一犯人による強盗事件等が連続的に発生する場合があり、上記した緊急通報システムにより、緊急事態発生を告げる、既に登録された音声メッセージ、あるいは文字メッセージを近隣の店舗に通報したとしても、通報を受けた店舗が警戒態勢をとるには、内容的には不充分であるというようなことがあった。又、狙われ易い店舗は、事件が発生した店舗と、ほぼ店舗を取り巻く環境が似ている場合が多く、そのような店舗に優先的に対応して通報を自動的に行う緊急通報システムが求められていた。
【０００６】
【特許文献１】特開２００１−２３０６７号（３頁、図１）
【発明の開示】
【発明が解決しようとする課題】
【０００７】
本発明は、上記問題点に鑑み、ある店舗で事件が発生した際、監視カメラで捕えられた画像を基に、特徴、属性を分析して、分析した付加情報を警告メッセージに追加し、近隣の店舗等に通報を行なって防犯上の具体的な用意を喚起するとともに、優先的に通報する必要がある店舗を自動的に検索することができる緊急通報システムを提供することを目的とする。
【課題を解決するための手段】
【０００８】
本発明は、上記課題を解決するため、各店舗に備えられた緊急通報装置と、本部とを通信手段により夫々接続し、緊急通報の授受を行う緊急通報システムにおいて、前記本部に、夫々の店舗の周辺環境データを基にしたデータベースと、同データベースを記憶した記憶部を設け、同本部が、ある店舗から緊急事態発生の通報を受けた際、前記データベースにより、警告メッセージの配信先優先度を決定し、同配信先優先度に基づいて、順次、他の店舗に警告メッセージを配信する構成となっている。又、前記緊急通報装置は、店舗に備えられた監視カメラからの映像を基に属性を抽出する属性情報抽出手段と、同属性情報抽出手段から警告メッセージを自動作成する警告メッセージ作成手段とを備えている構成となっている。又、前記属性情報抽出手段が、身長分析手段と、体型分析手段と、服装色分析手段とからなる構成となっている。
【発明の効果】
【０００９】
本発明によると、各店舗と本部とを通信手段を介して連係させるとともに、前記本部に各店舗周辺環境データを記憶したデータベースを設け、ある店舗から緊急事態発生の通報を受けた際、当該店舗と周辺環境が似ている店舗において二次的な事件の発生確率が高いと予想し、これらの店舗を前記各店舗周辺環境データから選出し、優先的に、これらの店舗に対し警告メッセージを前記通信手段を介して配信することにより、二次的な事件発生を極力防止して、より防犯性を向上させることができるようになっている。又、各店舗に緊急通報装置と、同緊急通報装置に接続されるパーソナルコンピュータと、監視カメラと、集音マイクと、緊急ボタンと、通信手段とを設け、深夜営業を行うコンビニエンスストア等の店舗で、強盗事件等が発生し、容疑者が店舗外に逃走したような場合、前記緊急通報装置内に備えられた属性情報抽出手段により、容疑者の概略身長、体型及び服装色を分析し、抽出された容疑者の属性情報を基にして、警告メッセージを自動的に作成することにより、より詳細な情報を提供することが可能であり、より、防犯性を高める緊急通報システムとすることができるようになっている。
【発明を実施するための最良の形態】
【００１０】
以下、本発明の実施の形態を、添付図面に基づいた実施例として詳細に説明する。
【実施例１】
【００１１】
図１は、コンビニエンスストア等の各店舗に備えられた、緊急通報装置の構成図であり、図２は、各店舗の本部と、同本部に備えられたデータベースを示す図である。図３は緊急通報装置の構成を示すブロック図であり、図４は監視カメラの画像を示す図及び図５は通報先を示す図である。又、図６は一連の操作を示す流れ図である。
【００１２】
本発明による緊急通報システムを構成し、各店舗に備えられる店舗機器１は、図１で示すように、緊急通報装置２と、同緊急通報装置２とデータ送受ケーブルで接続されるパーソナルコンピュータ３と、前記緊急通報装置２と映像信号ケーブルで接続され、コンビニエンスストア等の店舗の天井面あるいは壁面に設置される監視カメラ４と、前記緊急通報装置２と音声信号ケーブルで接続され、店舗内のカウンタ上などに設置される集音マイク５と、前記緊急通報装置２と信号線とで接続され、店舗内の任意の箇所に、任意の個数設置された緊急ボタン６と、前記緊急通報装置２とデータ信号線とで接続され、緊急事態発生時、警告メッセージ及び付随情報を通報する送受信手段７とからなっている。
【００１３】
深夜営業を行うコンビニエンスストア等の店舗において強盗事件等が発生し、容疑者が店舗外に逃走したような場合、店員等が前記緊急ボタン６を押すと、前記監視カメラ４で撮影された容疑者の画像を基に、その背丈、体型及び服装色が概略割り出されるとともに、これらの特徴を含んだ警告メッセージが前記緊急通報装置２により自動的に作成され、同警告メッセージ及び概略画像が、後述する本部を介して、チェーン店となる各店舗に前記送受信手段７により通報されるようになっている。通報を受けた周辺の店舗では、二次的な連続強盗事件発生を防止するため、通報内容を基に警戒態勢を整えるようになっている。
【００１４】
チェーン店となるコンビニエンスストア等の各店舗２０は、図２（Ａ）で示すように、前記送受信手段７を介して各チェーン店を統括する本部３０と夫々接続されており、ある店舗で緊急事態が発生したような場合、まず当該店舗から本部３０に緊急通報が行われるようになっている。緊急通報を受けた本部３０では、二次的な事件の発生確率が高いと予想される店舗を選出し、そのような店舗から優先的に警告メッセージあるいは警戒警報を送出するようになっている。尚、前記送受信手段７としては、特定手段に限定されるものではなく、電話回線網、無線通信網、あるいはインターネット通信網で構築してもよい。
【００１５】
前記本部３０には、図２（Ｂ）で示すように、データベース３１と同データベース３１を記憶した記憶部が設けられ、同データベース３１には、各店舗周辺環境データ３１ａが記憶されている。同各店舗周辺環境データ３１ａは、各店舗の設置検討時に、店舗を取り巻く周辺環境を調査したデータを蓄積したものであり、例えば、店舗周辺人口密度、店舗周辺道路状況、店舗周辺人通り状況、店舗周辺の明るさを示す店舗周辺外灯個数、店舗周辺家屋密集度等の各種データを記憶している。
【００１６】
ある店舗から強盗事件発生等の緊急事態通報を受けた本部３０では、当該店舗と周辺環境が似ている店舗において二次的な事件の発生確率が高いと予想し、これらの店舗を前記各店舗周辺環境データ３１ａの店舗周辺人口密度、店舗周辺道路状況等から選出するようになっている。
【００１７】
次に、各店舗に備えられた前記緊急通報装置１について図３のブロック図により詳細に説明する。前記緊急通報装置２には、上記したように、映像信号ケーブルにより前記監視カメラ４が接続されるとともに、音声信号ケーブルにより前記集音マイク５が接続され、又、前記緊急ボタン６と、前記送受信手段７とが夫々接続されており、同送受信手段７は、本部又は他の店舗との間で、後述する警告メッセージ及び画像データ等とからなる緊急通報の送受を行うことができるようになっている。又、データ送受ケーブルにより前記パーソナルコンピュータ３が接続されている。尚、前記緊急ボタン６は図示しない装置により、まず警察及び警備会社に事件発生を通報するようになっている。
【００１８】
前記緊急通報装置２内には、前記監視カメラ４で撮影された画像を基に、容疑者の特徴を抽出する属性情報抽出手段８と、同属性情報抽出手段８で抽出された情報を基に、警告メッセージを自動的に作成する警告メッセージ作成手段９と、前記監視カメラ４で連続的に撮影された画像から、適切な送信画像を選択する送信画像選択手段１０とが設けられている。
【００１９】
前記属性情報抽出手段８には、撮影された画像から、容疑者の概略の身長を算出する身長分析手段８ａと、体型を分析する体型分析手段８ｂと、容疑者が着ていた服装の色彩が、赤系統であるか、茶系統であるかというような服装色の特徴を抽出する服装色分析手段８ｃとが設けられている。前記監視カメラ４で撮影された容疑者の画像は映像信号ケーブルを介して前記緊急通報装置２に送出されるとともに、データ送受ケーブルを介して前記パーソナルコンピュータ３にも送出されるようになっている。同パーソナルコンピュータ３は、図３で示すように、ディスプレイ上に縦状の複数のグリッド線１２ａ及び横状のグリッド線１２ｂとからなる格子状のグリッドを設定できるようになっており、前記身長分析手段８ａは、ディスプレイ上に写し出された容疑者の画像から、頭部が前記横状のグリッド線１２ｂのいずれの範囲内に収まっているかを認識し、例えば、１７０ｃｍ前後であるというような概略の身長を算出するようになっている。
【００２０】
容疑者の概略の身長が算出されると、前記体型分析手段８ｂは、ディスプレイ上の縦状のグリッド線１２ａのいずれの範囲内に容疑者の体幅が収まっているかを認識し、算出された身長との対比により、例えば、痩型、やや痩型、中肉中背、やや太り気味、太り気味というように、予め設定されたカテゴリに分類するようになっている。前記服装色分析手段８ｃは、容疑者の服装の色彩が、例えば、赤系統であるか、茶系統であるかを判別するとともに、中間色の場合にも、赤系統に近い○○色、黄系統に近い△△色というように識別を行い、言語表現に変換することのできる機能を有している。
【００２１】
前記警告メッセージ作成手段９は、前記身長分析手段８ａと、前記体型分析手段８ｂと、前記服装色分析手段８ｃとからなる属性情報抽出手段８により分析された容疑者の特徴を基に警告メッセージ用の文書を自動的に作成するようになっている。又、前記パーソナルコンピュータ３には、当該店舗名、当該店舗の住所、店舗マスタ名等が既にメモリに記憶されており、又、内蔵したクロックにより、事件が発生し前記緊急ボタン６が押された日時を記録するようになっている。
【００２２】
前記緊急通報装置２に備えられた前記警告メッセージ作成手段９は、前記パーソナルコンピュータ３から、当該店舗の住所、店舗マスタ名、事件が発生した日時を引き出し、前記属性情報抽出手段８により抽出された容疑者の特徴も含めて、例えば「○月○日、ＰＭ○時○分、○○区○○町○○番地、○○店にて強盗事件が発生しました。容疑者の特徴は、身長○○ｃｍ前後、中肉中背、茶系統の服装でした。警戒態勢を願います。店舗マスタ○○」というような警告メッセージを自動的に作成するようになっている。又、作成された警告メッセージは文書形式で発信することもできるが、音声に変換して音声形式でも発信することができるようになっている。尚、音声形式に変換した場合は、前記集音マイク５で集音された容疑者の声、あるいは容疑者の顔の特徴等を現場に居合わせた店員が入力すれば、付加情報として警告メッセージに含めることができるようになっている。
【００２３】
前記緊急通報装置２に備えられた前記送信画像選択手段１０は、前記監視カメラ４で撮影された連続的な画像から、適切な画像を静止画像として選択する機能を有し、選択された静止画像は付随情報として、作成された前記警告メッセージに追加することができるようになっている。又、前記パーソナルコンピュータ３のディスプレイに写し出された画像から、店舗側が人為的に選択して前記送信画像選択手段１０で選択された画像に替えて前記警告メッセージに追加することもできるようになっている。
【００２４】
次に、一連の操作について図６の流れ図を基に改めて説明する。上記した緊急通報装置１を備え、深夜営業を行うコンビニエンスストア等において、強盗事件が発生し、容疑者が、いずれかの方向に逃走したような場合、店員等により前記緊急ボタン６が押され、同緊急ボタン６により、まず警察及び警備会社に事件発生が通報されるようになっている。
【００２５】
前記緊急ボタン６が押されると同時に、前記監視カメラ４で撮影された画像が、前記緊急通報装置２に取り込まれ、前記属性情報抽出手段８により、容疑者の概略身長、体型及び着ていた服装色が分析されるようになっている。分析抽出された容疑者の属性情報は、次に、前記警告メッセージ作成手段９に取り込まれ、身長等の属性情報を含んだ、上記したような警告メッセージが自動的に作成されるようになっている。この際、店員等が前記パーソナルコンピュータ３のキーボードから、容疑者の逃走方向を入力すると、その情報も追加情報として警告メッセージに付加されるようになっている。又、前記送信画像選択手段１０は、前記監視カメラ４で撮影された連続的な画像の中から、適切な画像を静止画像として選択し、警告メッセージに追加情報として付加することができるようになっており、更に、音声情報がある場合には、音声情報も追加情報として警告メッセージに付加することができるようになっている。
【００２６】
次に、緊急通報装置１により作成された警告メッセージは、前記送受信手段７を介して前記本部３０に通報され、通報を受けた本部３０では、上記したように、前記データベース３１の各店舗周辺環境データ３１ａから、事件が発生した店舗と環境が似ている店舗を、店舗周辺人口密度、店舗周辺道路状況、店舗周辺人通り状況、店舗周辺外灯個数、店舗周辺家屋密集度等の各種要素から選出し、これらの店舗において二次的な事件の発生確率が高いとした上で優先的に、これらの店舗に対し、警告メッセージを前記送受信手段７を介して配信するようになっている。又、容疑者の逃走方向が判明している場合には、逃走方向に位置する店舗に優先的に警告メッセージが配信されるようになっている。
【００２７】
尚、他店舗に警告の通報を行う際、二次的な事件発生の危険度が高いと予想される店舗と危険度がやや低いと予想される店舗とでは、通報内容を変化させることができるようになっており、例えば、危険度が高いと予想される店舗のモニタ画面に対しては、まず緊急度の高さを示すメッセージが表示されるとともに、警告メッセージ、画像情報、音声情報
等を含んだ詳細な情報が提供されるようになっている。又、危険度がやや低いと予想される店舗に対しては、前記緊急通報装置２により作成された警告メッセージのみを表示することもできるようになっている。
【００２８】
警告メッセージの配信を受けた各店舗は、連続事件発生を防止するため、警告メッセージを基にして、二次的な事件発生を防止できるよう店舗としての警戒態勢をとるようになっている。これにより、コンビニエンスストア等の店舗、あるいはレストラン等のチェーン店において、防犯性をより向上させることができるようになっている。
【００２９】
又、前記緊急通報装置２の機能は、店舗に常時備えられ会計等を行うＰＯＳシステムに本部との送受信を行う前記送受信手段７の機能を併せもつＰＯＳシステムとして構成しても良く、又、本部から配信された緊急通報を同ＰＯＳシステムで受信して表示させるようにしてもよい。
【図面の簡単な説明】
【００３０】
【図１】緊急通報装置の構成図である。
【図２】各店舗と本部及び本部の構成を示す図である。
【図３】緊急通報装置のブロック図である
【図４】監視カメラの画像を示す図である。
【図５】通報先を示す図である。
【図６】一連の操作を示す流れ図である。
【図７】従来の緊急通報システムの一例を示す図である。
【符号の説明】
【００３１】
１  店舗機器
２  緊急通報装置本体
３  パーソナルコンピュータ
４  監視カメラ
５  集音マイク
６  緊急ボタン
７  送受信手段
８  属性情報抽出手段
８ａ  身長分析手段
８ｂ  体型分析手段
８ｃ  服装色分析手段
９  警告メッセージ作成手段
１０  送信画像選択手段
１２ａ，１２ｂ  グリッド線
２０  各店舗
３０  本部
３１  データベース
３１ａ  各店舗周辺環境データ
【図１】
0004687488.tif 000002
【図２】
0004687488.tif 000003
【図３】
0004687488.tif 000004
【図４】
0004687488.tif 000005
【図５】
0004687488.tif 000006
【図６】
0004687488.tif 000007
【図７】
0004687488.tif 000008